(57)【要約】  情報記録装置（３００）は、（ｉ）レーザ光が透過する第１記録層（Ｌ０層）が記録済み状態である場合に良好な再生品質を取得可能な記録パワーを保持する一のレーザ光、又は（ｉｖ）第１記録層が未記録状態である場合に良好な再生品質を取得可能な記録パワーを保持する他のレーザ光によって、第２記録層（Ｌ１層）に第２情報を記録する記録手段（３０１等）と、第１記録層の一部を、所定のタイミングで、一又は他の状態にフォーマットするフォーマット手段（３０１、３０５等）と、フォーマットされた第１記録層の状態に基づいて、一又は他のレーザ光によって記録するように、記録手段を制御する制御手段（３０５等）とを備える。【特許請求の範囲】
【請求項１】
第１情報を記録するための第１トラックが形成された第１記録層、及び前記第１トラックに対応されると共に、第２情報を記録するための第２トラックが形成された第２記録層を少なくとも備える情報記録媒体において、前記第１記録層を透過したレーザ光によって、少なくとも前記第２記録層に記録する情報記録装置であって、
（ｉ）前記レーザ光が透過する前記第１記録層が一の状態である場合に良好な再生品質を取得可能な特性を保持する一のレーザ光、又は（ｉｉ）前記レーザ光が透過する前記第１記録層が他の状態である場合に良好な再生品質を取得可能な特性を保持する他のレーザ光によって、少なくとも前記第２記録層に前記第２情報を記録する記録手段と、
少なくとも前記第１記録層の一部を、所定のタイミングで、前記一の状態、又は前記他の状態にフォーマットするフォーマット手段と、
フォーマットされた前記第１記録層の状態に基づいて、前記一のレーザ光、又は前記他のレーザ光によって、少なくとも前記第２記録層に前記第２情報を記録するように、前記記録手段を制御する制御手段と
を備えることを特徴とする情報記録装置。
【請求項２】
前記フォーマット手段は、前記一の状態、又は前記他の状態として、（ｉ）前記第１記録層を、データエリアと同じ属性にすると共に、（ｉｉ）前記第１記録層に、ゼロ、又は所定の値を記録することで、少なくとも前記第１記録層をフォーマットすることを特徴とする請求の範囲第１項に記載の情報記録装置。
【請求項３】
前記フォーマット手段は、前記一の状態、又は前記他の状態として、（ｉｉｉ）層間ジャンプの際の緩衝用エリアであると共に、ファイナライズ処理の際にダミー情報を記録する必要のないミドルエリアと同じ属性にすることで、少なくとも前記第１記録層をフォーマットすることを特徴とする請求の範囲第１項に記載の情報記録装置。
【請求項４】
前記フォーマット手段は、前記一の状態、又は前記他の状態として、ファイナライズ処理の際にダミー情報を記録する必要のないリードアウトエリアと同じ属性にすることで、少なくとも前記第２記録層をフォーマットすることを特徴とする請求の範囲第１項に記載の情報記録装置。
【請求項５】
前記フォーマット手段は、（ｉ）ユーザによる指示に応答して、又は（ｉｉ）記録動作と平行して、少なくとも、前記第１記録層又は前記第２記録層をフォーマットすることを特徴とする請求の範囲第１項に記載の情報記録装置。
【請求項６】
前記情報記録媒体は、フォーマットされた少なくとも前記第１記録層に関する管理情報を記録可能な管理情報記録エリアを有し、
前記管理情報記録エリアに記録された前記管理情報を取得する取得手段を更に備え、
前記制御手段は、取得された前記管理情報に基づいて、前記記録手段を制御することを特徴とする請求の範囲第１項に記載の情報記録装置。
【請求項７】
前記制御手段は、取得された前記管理情報に含まれる、（ｉ）少なくとも前記第１記録層が、フォーマットされているか否かを示すフラグ情報、及び（ｉｉ）少なくとも前記第１記録層において、フォーマットされている位置を示すアドレス情報のうち少なくとも一つに基づいて、前記記録手段を制御することを特徴とする請求の範囲第６項に記載の情報記録装置。
【請求項８】
取得された前記管理情報を記憶する記憶手段と、
記憶された前記管理情報を更新する更新手段とを更に備え、
前記制御手段は、更新された前記管理情報を前記管理情報記録エリアに記録するように、前記記録手段を制御することを特徴とする請求の範囲第６項に記載の情報記録装置。
【請求項９】
第１情報を記録するための第１トラックが形成された第１記録層、及び前記第１トラックに対応されると共に、第２情報を記録するための第２トラックが形成された第２記録層を少なくとも備える情報記録媒体において、前記第１記録層を透過したレーザ光によって、少なくとも前記第２記録層に記録する情報記録装置における情報記録方法であって、
（ｉ）前記レーザ光が透過する前記第１記録層が一の状態である場合に良好な再生品質を取得可能な特性を保持する一のレーザ光、又は（ｉｉ）前記レーザ光が透過する前記第１記録層が他の状態である場合に良好な再生品質を取得可能な特性を保持する他のレーザ光によって、少なくとも前記第２記録層に前記第２情報を記録する記録工程と、
少なくとも前記第１記録層の一部を、所定のタイミングで、前記一の状態、又は前記他の状態にフォーマットするフォーマット工程と、
フォーマットされた前記第１記録層の状態に基づいて、前記一のレーザ光、又は前記他のレーザ光によって、少なくとも前記第２記録層に前記第２情報を記録するように、前記記録工程を制御する制御工程と
を備えることを特徴とする情報記録方法。
【請求項１０】
請求の範囲第１項に記載の情報記録装置に備えられたコンピュータを制御する記録制御用のコンピュータプログラムであって、該コンピュータを、前記記録手段、前記フォーマット手段、及び、前記制御手段のうち少なくとも一部として機能させることを特徴とするコンピュータプログラム。
【請求項１１】
第１情報を記録するための第１トラックが形成された第１記録層と、
前記第１記録層を透過したレーザ光によって第２情報を記録可能であると共に、前記第１トラックに対応した第２トラックが形成された第２記録層と
を少なくとも備え、
少なくとも前記第１記録層の一部は、前記レーザ光によって記録された前記第２情報における再生品質を良好とならしめる前記レーザ光の特性に対応した所定の状態にフォーマットされていることを特徴とする情報記録媒体。
【請求項１２】
前記第１記録層、及び前記第２記録層のうち少なくとも一方は、フォーマットされた少なくとも前記第１記録層に関する管理情報を記録可能な管理情報記録エリアを有することを特徴とする請求の範囲第１１項に記載の情報記録媒体。
【請求項１３】
前記第１記録層、及び前記第２記録層においては、所定ブロックの単位で、第１情報、又は第２情報が記録され、
前記所定ブロックには、データエリアの属性、リードアウトエリアの属性、又は、ミドルエリアの属性であることを示す情報が保持されることを特徴とする請求の範囲第１１項に記載の情報記録媒体。
【発明の詳細な説明】
【技術分野】
【０００１】
本発明は、例えば２層型のＤＶＤ、ＣＤ（Compact Disc）等の多層型の情報記録媒体に情報を記録するためのＤＶＤレコーダ等の情報記録装置及び方法、記録制御用のコンピュータプログラム、並びに、情報記録媒体の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭ、ＤＶＤ−Ｒ、ＤＶＤ−ＲＷ、及び、ＤＶＤ＋Ｒ等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や書換え可能方式で記録する。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
このような２層型の光ディスクを構成するＬ１層に情報を記録する際には、例えば図１５（ａ）に示されるように、記録済みのＬ０層を介してＬ１層に照射されたレーザ光の最適な記録パワーは、図１５（ｃ）の細線（白三角印）の放物線上におけるジッタ値が最小となる４４．５（ｍＷ：ミリワット）である。他方、図１５（ｂ）に示されるように、記録済みのＬ０層とは光透過率の異なる未記録状態のＬ０層を介してＬ１層に照射されたレーザ光の最適な記録パワーは、図１５（ｃ）の太線（黒三角印）の放物線上におけるジッタ値が最小となる４６（ｍＷ：ミリワット）であり、Ｌ１層の記録においてはＬ０層が記録されているか否かを考慮する必要性がある。これに対しては、例えば記録済みの状態のＬ０層を透過した記録用のレーザ光が照射されなければならないという、所謂、記録要件（Recording Order）を満たす記録方法が考案されている。具体的には、Ｌ０層を記録済みの状態にしてから、この記録済みのＬ０層に対応される最適な記録パワーを保持するレーザ光によって、Ｌ１層に情報が記録される。他方、Ｌ０層を未記録の状態にしておき、この未記録の状態のＬ０層に対応される最適な記録パワーを保持するレーザ光によって、Ｌ１層に情報が記録される。或いは、情報を記録予定のＬ１層の領域に対向されるＬ０層の領域が記録済みであるか否かを、例えばスペースビットマップ（ＳＢＭ：Space Bit Map）等の管理情報に基づいて判断し、その判断に基づいて、Ｌ１層に情報が記録される。ここに、本願発明に係る「対向する」とは、第１記録層の一部と第２記録層の一部とが対応して相向き合っている、即ち、概ね同一の半径位置に存在する位置関係を意味するようにしてもよい。更に、偏心等の誤差も考慮した位置関係を意味するようにしてもよい。【０００４】
【特許文献１】特開２０００−３１１３４６号公報
【特許文献２】特開２００１−２３２３７号公報
【発明の開示】
【発明が解決しようとする課題】
【０００５】
しかしながら、上述した記録要件を満たす記録方法においては、Ｌ１層の記録領域に情報を記録するために、例えば、Ｌ０層を、例えば記録済みの状態にさせる等の各種処理によって実効的な記録動作を中断させなくてはならない。従って、記録制御処理が複雑になってしまい、記録制御処理の負荷を高めてしまうという技術的な問題点を有している。【０００６】
或いは、上述した記録要件を満たす記録方法においては、情報を記録予定のＬ１層の記録領域に対向されるＬ０層の記録領域の状態が、例えば記録済みであるか否かを、例えばＳＢＭ等の管理情報に基づいて判断しつつ、Ｌ１層の記録領域に情報を記録するためのレーザ光の最適な記録パワーを動的に変化させなければならないため、記録制御処理が複雑になってしまい、記録制御処理への負荷を高めてしまうという技術的な問題点を有している。【０００７】
本発明は、例えば上述した従来の問題点に鑑みなされたものであり、例えば複数の記録層を有する情報記録媒体に対しても、より効率的に情報の記録を行うことが可能であると共に、記録時間を短縮させることが可能である情報記録装置及び方法、コンピュータをこのような情報記録装置として機能させるコンピュータプログラム、並びに、情報記録媒体を提供することを課題とする。
【課題を解決するための手段】
【０００８】
（情報記録装置）
以下、本発明に係る情報記録装置について説明する。【０００９】
本発明の情報記録装置は上記課題を解決するために、第１情報を記録するための第１トラックが形成された第１記録層（Ｌ０層）、及び前記第１トラックに対応されると共に、第２情報を記録するための第２トラックが形成された第２記録層（Ｌ１層）を少なくとも備える情報記録媒体において、前記第１記録層（Ｌ０層）を透過したレーザ光によって、少なくとも前記第２記録層（Ｌ１層）に記録する情報記録装置であって、（ｉ）前記レーザ光が透過する前記第１記録層（Ｌ０層）が一の状態（記録済み状態）である場合に良好な再生品質を取得可能な特性（記録パワー）を保持する一のレーザ光、又は（ｉｉ）前記レーザ光が透過する前記第１記録層が他の状態（未記録状態）である場合に良好な再生品質を取得可能な特性（記録パワー）を保持する他のレーザ光によって、少なくとも前記第２記録層（Ｌ１層）に前記第２情報を記録する記録手段と、少なくとも前記第１記録層（Ｌ０層）の一部を、所定のタイミング（媒体の挿入時や、記録動作と平行して）で、前記一の状態、又は前記他の状態にフォーマットするフォーマット手段と、フォーマットされた前記第１記録層（Ｌ０層）の状態に基づいて、前記一のレーザ光、又は前記他のレーザ光によって、少なくとも前記第２記録層（Ｌ１層）に前記第２情報を記録するように、前記記録手段を制御する制御手段とを備える。【００１０】
本発明の情報記録装置によれば、制御手段の制御下で、記録手段によって、第１トラックが形成された、例えばＬ０層等の第１記録層に第１情報が記録される。概ね同様にして、この第１トラックに対応される第２トラックが形成された、例えばＬ１層等の第２記録層に第２情報が記録される。詳細には、第１記録層においては、第１情報を記録するために第１プリフォーマットアドレス情報が形成されていてもよい。第２記録層においては、第２情報を記録するために第２プリフォーマットアドレス情報が形成されていてもよい。尚、任意のタイミングで、且つ、任意の位置に第１情報、又は第２情報を記録するために、第１トラック、又は第２トラックには、例えばＬＰＰ（Land PrePit）等のプリフォーマットアドレス情報が形成されていてもよい。【００１１】
特に、本発明によれば、少なくとも第２記録層（Ｌ１層）に対しては、記録手段によって、（ｉ）レーザ光が透過する第１記録層が、例えば記録済み状態等の一の状態である場合に良好な再生品質を取得可能な、例えば記録パワー等の特性を保持する一のレーザ光によって、第２情報が記録される。他方、（ｉｉ）レーザ光が透過する第１記録層が、例えば未記録状態等の他の状態である場合に良好な再生品質を取得可能な特性を保持する他のレーザ光によって、第２情報が記録される。【００１２】
加えて、フォーマット手段によって、少なくとも第１記録層（Ｌ０層）の一部が、所定のタイミングで、一の状態、又は他の状態にフォーマットされる。ここに、本願発明に係る「所定のタイミング」とは、光ディスク１００が、情報記録再生装置に挿入されるタイミング等のフォーマットを行うに際して、利便性が高く且つ効率的なタイミングを意味するようにしてもよい。【００１３】
そして、制御手段の制御下で、記録手段は、フォーマットされた第１記録層（Ｌ０層）の状態に基づいて、一のレーザ光、又は他のレーザ光によって、少なくとも、この第１記録層の一部に対向される第２記録層の記録領域において、第２情報を記録する。【００１４】
この結果、少なくとも、第１記録層の一部に対向される第２記録層の記録領域において、良好な品質を確保しつつ第２情報を記録する際に、第１記録層を一の状態、又は他の状態に変化させる等の各種処理によって実効的な記録動作を中断させることなく、任意のタイミングで、且つ、任意の位置に、或いは、第１記録層への記録動作と連続させて、第２記録層に第２情報を記録することが可能となる。従って、記録制御処理をより簡便にさせ、高い負荷が記録制御処理に掛かるのを抑制させることも可能となる。【００１５】
加えて、例えば記録済み状態の記録領域等の、一の状態、又は他の状態に予めフォーマットされた記録領域は、ファイナライズ処理の際に、ダミー情報（ダミーデータ）を記録する必要がない。従って、ファイナライズ処理の際に、ダミー情報を記録する必要のある記録領域の大きさを減少させる、或いは、ダミー情報を記録する必要のある記録領域を殆ど又は完全に無くすことが可能となる。【００１６】
この結果、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。【００１７】
本発明の情報記録装置の一の態様では、前記フォーマット手段は、前記一の状態、又は前記他の状態として、（ｉ）前記第１記録層を、データエリアと同じ属性にすると共に、（ｉｉ）前記第１記録層に、ゼロ、又は所定の値を記録することで、少なくとも前記第１記録層をフォーマットする。【００１８】
この態様によれば、フォーマット手段によって、的確に、且つ、迅速に、少なくとも第１記録層をフォーマットすることが可能となる。【００１９】
本発明の情報記録装置の他の態様では、前記フォーマット手段は、前記一の状態、又は前記他の状態として、（ｉｉｉ）層間ジャンプの際の緩衝用エリアであると共に、ファイナライズ処理の際にダミー情報（ダミーデータ）を記録する必要のないミドルエリアと同じ属性にすることで、少なくとも前記第１記録層をフォーマットする。【００２０】
この態様によれば、フォーマット手段によって、少なくとも第１記録層を、ミドルエリアと同じ属性にしつつ、適切にフォーマットすることが可能となる。従って、ファイナライズ処理の際に、少なくとも第１記録層において、ダミー情報を記録する必要のある記録領域の大きさを減少させる、或いは、ダミー情報を記録する必要のある記録領域を殆ど又は完全に無くすことが可能となる。【００２１】
本発明の情報記録装置の他の態様では、前記フォーマット手段は、前記一の状態、又は前記他の状態として、ファイナライズ処理の際にダミー情報を記録する必要のないリードアウトエリアと同じ属性にすることで、少なくとも前記第２記録層をフォーマットする。【００２２】
この態様によれば、フォーマット手段によって、少なくとも第２記録層を、リードアウトエリアと同じ属性にしつつ、適切にフォーマットすることが可能となる。従って、ファイナライズ処理の際に、少なくとも第２記録層において、ダミー情報を記録する必要のある記録領域の大きさを減少させる、或いは、ダミー情報を記録する必要のある記録領域を殆ど又は完全に無くすことが可能となる。【００２３】
本発明の情報記録装置の他の態様では、前記フォーマット手段は、（ｉ）ユーザによる指示に応答して、又は（ｉｉ）記録動作と平行して、少なくとも、前記第１記録層又は前記第２記録層をフォーマットする。【００２４】
この態様によれば、任意のタイミングで、第１記録層、又は第２記録層をフォーマットすることが可能となる。【００２５】
本発明の情報記録装置の他の態様では、前記情報記録媒体は、フォーマットされた少なくとも前記第１記録層に関する管理情報（ＲＭＤ：フラグや位置情報）を記録可能な管理情報記録エリア（ＲＭＡ）を有し、前記管理情報記録エリアに記録された前記管理情報を取得する取得手段を更に備え、前記制御手段は、取得された前記管理情報に基づいて、前記記録手段を制御する。【００２６】
この態様によれば、制御手段の制御下で、記録手段によって、取得された管理情報に基づいて、適切に、且つ、的確に、第１記録層、又は第２記録層に対して、記録動作を行うことが可能となる。【００２７】
上述した制御手段に係る態様では、前記制御手段は、取得された前記管理情報に含まれる、（ｉ）少なくとも前記第１記録層が、フォーマットされているか否かを示すフラグ情報、及び（ｉｉ）少なくとも前記第１記録層において、フォーマットされている位置を示すアドレス情報のうち少なくとも一つに基づいて、前記記録手段を制御するように構成してもよい。【００２８】
このように構成すれば、制御手段の制御下で、記録手段によって、取得された管理情報に含まれる、フラグ情報、又はアドレス情報に基づいて、適切に、且つ、的確に、第１記録層、又は第２記録層に対して、記録動作を行うことが可能となる。【００２９】
更に、上述した制御手段に係る態様では、取得された前記管理情報を記憶する記憶手段と、記憶された前記管理情報を更新する更新手段とを更に備え、前記制御手段は、更新された前記管理情報を前記管理情報記録エリアに記録するように、前記記録手段を制御するように構成してもよい。【００３０】
このように構成すれば、制御手段の制御下で、記録手段によって、更新された最新の管理情報が記録される。従って、次回の動作において、最新の管理情報に基づいて、適切に、且つ、的確に、第１記録層、又は第２記録層に対して、記録動作を行うことが可能となる。【００３１】
（情報記録方法）
以下、本発明に係る情報記録方法について説明する。【００３２】
本発明の情報記録方法は上記課題を解決するために、第１情報を記録するための第１トラックが形成された第１記録層（Ｌ０層）、及び前記第１トラックに対応されると共に、第２情報を記録するための第２トラックが形成された第２記録層（Ｌ１層）を少なくとも備える情報記録媒体において、前記第１記録層（Ｌ０層）を透過したレーザ光によって、少なくとも前記第２記録層（Ｌ１層）に記録する情報記録装置における情報記録方法であって、（ｉ）前記レーザ光が透過する前記第１記録層（Ｌ０層）が一の状態（記録済み状態）である場合に良好な再生品質を取得可能な特性（記録パワー）を保持する一のレーザ光、又は（ｉｉ）前記レーザ光が透過する前記第１記録層が他の状態（未記録状態）である場合に良好な再生品質を取得可能な特性（記録パワー）を保持する他のレーザ光によって、少なくとも前記第２記録層（Ｌ１層）に前記第２情報を記録する記録工程と、少なくとも前記第１記録層（Ｌ０層）の一部を、所定のタイミング（媒体の挿入時や、記録動作と平行して）で、前記一の状態、又は前記他の状態にフォーマットするフォーマット工程と、フォーマットされた前記第１記録層（Ｌ０層）の状態に基づいて、前記一のレーザ光、又は前記他のレーザ光によって、少なくとも前記第２記録層（Ｌ１層）に前記第２情報を記録するように、前記記録工程を制御する制御工程とを備える。【００３３】
本発明の情報記録方法によれば、上述した本発明の情報記録装置が有する各種利益を享受することが可能となる。【００３４】
尚、上述した本発明の情報記録装置が有する各種態様に対応して、本発明の情報記録方法も各種態様を採ることが可能である。【００３５】
（コンピュータプログラム）
以下、本発明に係るコンピュータプログラムについて説明する。【００３６】
本発明の記録制御用のコンピュータプログラムは上記課題を解決するために、上述した本発明の情報記録装置（但し、その各種態様を含む）に備えられたコンピュータを制御する記録制御用のコンピュータプログラムであって、該コンピュータを、前記記録手段、前記フォーマット手段、及び、前記制御手段のうち少なくとも一部として機能させる。【００３７】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００３８】
尚、上述した本発明の情報記録装置における各種態様に対応して、本発明のコンピュータプログラムも各種態様を採ることが可能である。【００３９】
コンピュータ読取可能な媒体内のコンピュータプログラム製品は上記課題を解決するために、上述した本発明の情報記録装置（但し、その各種態様を含む）に備えられたコンピュータにより実行可能なプログラム命令を明白に具現化し、該コンピュータを、前記記録手段、前記フォーマット手段、及び、前記制御手段のうち少なくとも一部として機能させる。【００４０】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００４１】
（情報記録媒体）
以下、本発明に係る情報記録媒体について説明する。【００４２】
本発明の情報記録媒体は上記課題を解決するために、第１情報を記録するための第１トラックが形成された第１記録層と、前記第１記録層を透過したレーザ光によって第２情報を記録可能であると共に、前記第１トラックに対応した第２トラックが形成された第２記録層とを少なくとも備え、少なくとも前記第１記録層の一部は、前記レーザ光によって記録された前記第２情報における再生品質を良好とならしめる前記レーザ光の特性（記録パワー）に対応した所定の状態にフォーマットされている。【００４３】
本発明の情報記録媒体によれば、第１記録層に形成された、例えばＬＰＰ（Land Pre Pit）等のアドレス情報やクロック情報を読み出し可能な第１トラックに沿って、第１情報が記録される。と同時に又は相前後して、第２記録層に形成された、例えばＬＰＰ等のアドレス情報やクロック情報を読み出し可能な第２トラックに沿って、第２情報が記録される。詳細には、第１トラックは、情報記録媒体に備えられた、例えばディスク状の基板の内周側及び外周側のうち一方側から他方側へと向かい、これとは逆に、第２トラックは、他方側から一方側へと向かうように構成してもよい。即ち、当該２層型或いは多層型の情報記録媒体では、記録のためのトラックが２つの記録層の間で逆方向を向いている「オポジット方式」による連続記録が可能とされる。従って、第１記録層の終了端に続いて第２記録層の開始端へと、記録を連続的に行うようにすれば、情報に係る記録処理或いは再生処理の対象としての記録層を切り換える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り換えのために特別なバッファ機能を必要とすることなく、途切れのない再生を行うことが容易となるという意味で、実践上大変便利である。【００４４】
或いは、また、第１トラックは、前述した内周側及び外周側のうち一方側から他方側へと向かい、第２トラックも、第１トラックと同様に、一方側から他方側へと向かうように構成してもよい。即ち、当該二層型或いは多層型の情報記録媒体では、トラックが二つの記録層の間で同一方向を向いている「パラレル方式」による連続記録が可能とされる。このパラレル方式では、第１記録層における記録又は再生が終了されると、第２記録層における記録又は再生が開始される時に、例えば、光ディスクの最外周にある光ピックアップが再度、最内周へ向かって移動する必要があるため、前述したオポジット方式と比較して、第１記録層から第２記録層への切り換え時間がその分だけ掛かってしまう。【００４５】
特に、本発明によれば、少なくとも第１記録層の一部が、例えば当該情報記録媒体の製造時に、所定の状態にフォーマットされている。従って、前述した情報記録装置によって、フォーマットされた第１記録層の一部における、例えば記録済み状態等の所定の状態に基づいて、例えば良好な再生品質を取得可能な最適な記録パワーを保持するレーザ光によって、少なくとも、この第１記録層の一部に対向される第２記録層の記録領域において、第２情報が記録される。【００４６】
この結果、少なくとも、第１記録層の一部に対向される第２記録層の記録領域において、良好な品質を確保しつつ第２情報を記録する際に、第１記録層を所定の状態に変化させる等の各種処理によって実効的な記録処理を中断させることなく、任意のタイミングで、且つ、任意の位置に、或いは、第１記録層への記録処理と連続させて、第２記録層に第２情報が記録されることが可能となる。従って、記録制御処理がより簡便にされ、高い負荷が記録制御処理に掛かるのを抑制させることも可能となる。【００４７】
加えて、例えば記録済み状態の記録領域等の、所定の状態に予めフォーマットされた記録領域は、ファイナライズ処理の際に、ダミー情報（ダミーデータ）を記録する必要がない。従って、ファイナライズ処理の際に、ダミー情報を記録する必要のある記録領域の大きさを減少させる、或いは、ダミー情報を記録する必要のある記録領域を殆ど又は完全に無くすことが可能となる。【００４８】
この結果、ファイナライズ処理に掛かる時間は、例えばコンテンツ情報等の実効的な情報を記録する記録時間と概ね等しくなるため、ファイナライズ処理に掛かる時間の大幅な短縮が可能となり、ユーザは、ファイナライズ処理において、より大きな快適性を体感することが可能となる。【００４９】
本発明の情報記録媒体の一の態様では、前記第１記録層、及び前記第２記録層のうち少なくとも一方は、フォーマットされた少なくとも前記第１記録層に関する管理情報（フラグや位置情報）を記録可能な管理情報記録エリアを有する。【００５０】
この態様によれば、前述した情報記録装置によって、管理情報記録エリアから取得された管理情報に基づいて、適切に、且つ、的確に、第１記録層、又は第２記録層に対して、記録動作を行うことが可能となる。【００５１】
本発明の情報記録媒体の他の態様では、前記第１記録層、及び前記第２記録層においては、所定ブロック（ＥＣＣブロック）の単位で、第１情報、又は第２情報が記録され、前記所定ブロックには、データエリアの属性、リードアウトエリアの属性、又は、ミドルエリアの属性であることを示す情報が保持される。【００５２】
この態様によれば、前述した情報記録装置によって、ミドルエリアと同じ属性、又はリードアウトエリアと同じ属性であることを示す情報に基づいて、第１記録層、又は第２記録層が、所定の状態にフォーマットされていることを識別することが可能となる。【００５３】
本発明のこのような作用及び他の利得は次に説明する実施例から明らかにされる。【００５４】
以上説明したように、本発明の情報記録装置及び方法によれば、記録手段及び工程、フォーマット手段及び工程、並びに、制御手段及び工程を備える。よって、少なくとも、第１記録層の一部に対向される第２記録層の記録領域において、良好な品質を確保しつつ第２情報を記録する際に、第１記録層を一の状態、又は他の状態に変化させる等の各種処理によって実効的な記録動作を中断させることなく、任意のタイミングで、且つ、任意の位置に、或いは、第１記録層への記録動作と連続させて、第２記録層に第２情報を記録することが可能となる。従って、記録制御処理をより簡便にさせ、高い負荷が記録制御処理に掛かるのを抑制させることも可能となる。加えて、例えば記録済み状態の記録領域等の、一の状態、又は他の状態に予めフォーマットされた記録領域は、ファイナライズ処理の際に、ダミー情報（ダミーデータ）を記録する必要がない。従って、ファイナライズ処理の際に、ダミー情報を記録する必要のある記録領域の大きさを減少させる、或いは、ダミー情報を記録する必要のある記録領域を殆ど又は完全に無くすことが可能となる。【００５５】
また、本発明のコンピュータプログラムによれば、コンピュータを上述した本発明の情報記録装置として機能させるので、情報記録装置をして、任意のタイミングで、且つ、任意の位置に、或いは、第１記録層への記録動作と連続させて、第２記録層に第２情報を記録することが可能となる。従って、記録制御処理をより簡便にさせ、高い負荷が記録制御処理に掛かるのを抑制させることも可能となる。【００５６】
更に、また、本発明の情報記録媒体によれば、少なくとも一部が所定の状態にフォーマットされている第１記録層と、第２記録層とを備える。よって、少なくとも、第１記録層の一部に対向される第２記録層の記録領域において、良好な品質を確保しつつ第２情報を記録する際に、第１記録層を一の状態、又は他の状態に変化させる等の各種処理によって実効的な記録動作を中断させることなく、任意のタイミングで、且つ、任意の位置に、或いは、第１記録層への記録動作と連続させて、第２記録層に第２情報を記録することが可能となる。従って、記録制御処理をより簡便にさせ、高い負荷が記録制御処理に掛かるのを抑制させることも可能となる。
【図面の簡単な説明】
【００５７】
【図１】本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。
【図３】本発明に係る「管理情報」の一例を構成するＲＭＤに含まれる情報を示したテーブルである。
【図４】本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した他の概念的グラフである。
【図５】本発明の情報記録装置の実施例に係る情報記録再生装置、及び、ホストコンピュータの基本構成を示したブロック図である。
【図６】本発明の情報記録装置の実施例に係る情報記録再生装置による、フォーマット処理を含む記録動作、並びにファイナライズ処理を示したフローチャートである。
【図７】本発明の第１実施例に係るフォーマットがなされた記録領域を図式的に示した模式図である。
【図８】比較例に係る、フォーマットがなされていない記録領域を図式的に示した模式図である。
【図９】本発明の第２実施例に係るフォーマットがなされた記録領域を図式的に示した模式図である。
【図１０】本発明の第２実施例に係るフォーマットがなされた記録領域の一部において情報が記録された場合の記録領域を図式的に示した模式図である。
【図１１】本発明の第２実施例に係るフォーマットがなされた記録領域においてファイナライズ処理がなされた場合の記録領域を図式的に示した模式図である。
【図１２】本発明の第３実施例に係るフォーマットがなされた記録領域を図式的に示した模式図である。
【図１３】本発明の第３実施例に係るフォーマットがなされた記録領域の一部において情報が記録される共に、ファイナライズ処理がなされた場合の記録領域を図式的に示した模式図である。
【図１４】本発明の第３実施例に係るフォーマットがなされた記録領域の他部において情報が記録される共に、ファイナライズ処理がなされた場合の記録領域を図式的に示した模式図である。
【図１５】本発明に係る記録要件を概念的に示した模式図（図１５（ａ）及び図１５（ｂ））、並びに数値的に示したグラフ（図１５（ｃ））である。
【符号の説明】
【００５８】
１００…光ディスク、１０１−０（１０１−１）…リードインエリア、１０２−０（１０２−１）…データエリア、１０３−０（１０３−１、１０３ａ−１）…リードアウトエリア、１０４−０（１０４ａ−０、１０４−１）…ミドルエリア、１０４ｓ−０（１０４ｓ−１）…Ｓｈｉｆｔｅｄミドルエリア、１０５−０（１０５−１）…ＰＣＡ、１０６−０（１０６−１）…ＲＭＡ、３００…情報記録再生装置、３０１…光ピックアップ、３０２…信号記録再生手段、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＬＢ…レーザ光
【発明を実施するための最良の形態】
【００５９】
以下、本発明を実施するための最良の形態について実施例毎に順に図面に基づいて説明する。【００６０】
（１）情報記録媒体の実施例
先ず、図１から図４を参照して、本発明の情報記録媒体の実施例について詳細に説明する。尚、本実施例に係る光ディスクにおいては、本願発明に係る「第１トラック」の一例を構成するＬ０層のトラックパスと、本願発明に係る「第２トラック」の一例を構成するＬ１層のトラックパスとが反対の記録方向であるオポジット方式が記録方式の一具体例として採用されている。【００６１】
（１−１）基本構成
先ず図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。【００６２】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１０３、データエリア１０２、並びに、ミドルエリア１０４が設けられている。そして、光ディスク１００の例えば、透明基板１０６に、Ｌ０層及びＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。【００６３】
尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。【００６４】
本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型光ディスクにおけるオポジット方式による記録又は再生手順、並びに、各層におけるデータ構造については、後述される。【００６５】
（１−２）詳細構成
次に、図２から図４を参照して、本発明の情報記録媒体の実施例に係る２層型光ディスクの詳細構成について説明する。より具体的には、図２から図４を参照して、２層型光ディスクのデータ構造、該光ディスクの記録領域におけるＥＣＣブロックを構成する物理的セクタ番号（以下、適宜「セクタ番号」と称す）、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した一の概念的グラフである。図３は、本発明に係る「管理情報」の一例を構成するＲＭＤに含まれる情報を示したテーブルである。図４は、本発明の情報記録媒体の実施例に係る２層型光ディスクのデータ構造及び該光ディスクの記録領域におけるＥＣＣブロックを構成する物理的セクタ番号並びに該光ディスクのオポジット方式による記録又は再生方法を示した他の概念的グラフである。尚、図２及び図４中の縦軸は、１６進数で表現されたセクタ番号を示し、横軸は、光ディスクの半径方向の相対的な位置を示す。【００６６】
図２に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、最適記録パワーの検出（較正処理：ＯＰＣ：Optimum Power Control）のためのパワーキャリブレーションエリア１０５−０（以下適宜「ＰＣＡ：Power Calibration Area」と称す）、レコーディングマネージメントエリア１０６−０（以下適宜「ＲＭＡ：Recording Management Area」と称す）、リードインエリア１０１−０、データエリア１０２−０、及びミドルエリア１０４−０が設けられている。また、ＰＣＡ１０５−０内の矢印は、較正処理のために記録領域が消費されていく方向を示している。【００６７】
ＲＭＡ１０６−０（後述される１０６−１）においては、本発明に係る「管理情報」の一例を構成するＲＭＤ（Recording Management Data）が記録可能である。詳細には、ＲＭＡ１０６−０（１０６−１）においては、ＲＭＤが、約７００回程度追記することが可能である。このＲＭＡ１０６−０（１０６−１）によって、本願発明に係る「管理情報記録エリア」の一例が構成されている。【００６８】
ＲＭＤは、図３に示されるように、次の数種類の各種情報を記録するためのフィールドを保持するように構成してもよい。即ち、本発明に係る「フォーマット」に関する情報として、（ｉ）Ｌ０層がフォーマット済みであることを示すフラグ、（ｉｉ）Ｌ１層がフォーマット済みであることを示すフラグ、（ｉｉｉ）例えばＬ０層におけるミドルエリアと同じ属性でフォーマットされた記録領域の開始位置、又は終了位置を示すアドレス、（ｉｖ）例えばＬ１層におけるリードアウトエリアと同じ属性でフォーマットされた記録領域の開始位置、又は終了位置を示すアドレスを記録するためのフィールドを保持するように構成してもよい。【００６９】
加えて、（ｖ）当該光ディスク１００に対して、記録動作を行なった情報記録再生装置の識別番号情報、所謂、ドライブＩＤ情報（ドライブ識別情報）、（ｖｉ）ドライブＩＤによって指定された情報記録再生装置による較正処理の結果、検出された最適記録パワーの数値情報、（ｖｉｉ）未記録状態、例えばインクリメンタル記録方式等の記録方式、及び追記不可能であるファイナライズ処理が済んだ状態等を示すディスク状態情報を記録するためのフィールドを保持するように構成してもよい。【００７０】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばレーザ光等によってプリ記録される。データエリア１０２−０には、記録情報が記録可能である。ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。【００７１】
他方、Ｌ１層には、外周側から内周側にかけて、ミドルエリア１０４−１、データエリア１０２−１、リードアウトエリア１０３−１、ＲＭＡ１０６−１、及び、ＰＣＡ１０５−１が設けられている。より詳細には、ＰＣＡ１０５−０（１０５−１）、及びＲＭＡ１０６−０（１０６−１）を合わせて「Information Area」と称しても良い。また、上述したリードインエリア１０１−０（１０１−１）、データエリア１０２−０（１０２−１）、及びミドルエリア１０４−０（１０４−１）を合わせて「R-Information Area」と称しても良い。【００７２】
特に、本実施例においては、例えば、上述したデータエリア１０２−０等が、後述される情報記録装置によって、例えば光ディスクの製造時等の所定のタイミングで、フォーマットされていてもよい。尚、このフォーマットの形態については、後述の「（２−３）第１実施例に係るフォーマットの形態」等において、詳細に説明される。【００７３】
また、本実施例に係る光ディスク１００においては、図４に示されるように、例えばインクリメンタル（Incremental）記録方式等において、記録情報のデータ量が光ディスクの全記録容量より比較的に少ない場合、データエリア１０２−０（１０２−１）の外周端を内周側に配置させるように構成してもよい。この場合、データエリア１０２−０（１０２−１）の外周端から外周側に向かう方向に、シフトミドルエリア１０４ｓ−０（１０４ｓ−１）を備えて構成してもよい。【００７４】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２及び図４中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００７５】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２及び図４中の矢印の右方向へ移動するのとは逆に、Ｌ１層においては、光ピックアップが外周側から内周側へ向かって、即ち、図２及び図４中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００７６】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が「０２ＦＦＦＦｈ」のリードインエリア１０１−０の終了位置（図２中のＡ地点を参照）、セクタ番号が「０３００００ｈ」のデータエリア１０２−０の開始位置（図２中のＢ地点を参照）、セクタ番号が「１ＡＦＦＦＦｈ」のデータエリア１０２−０の終了位置（以下、適宜、Ｌ０層の「折り返し点」と称す：図２中のＣ地点を参照）に順次アクセスして、緩衝の役目を果たすミドルエリア１０４−０へと移動されることによって、Ｌ０層における記録又は再生が行われる。尚、本実施例において、「３００００ｈ」等の末尾の「ｈ」とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が「Ｅ５００００ｈ」のデータエリア１０２−１の開始位置（以下、適宜、Ｌ１層の「折り返し点」と称す：図２中のＤ地点を参照）、セクタ番号が「ＦＣＦＦＥＦｈ」のデータエリア１０２−１の終了位置（図２中のＥ地点を参照）に順次アクセスして、リードアウトエリア１０３−１へと移動されることによって、Ｌ１層における記録又は再生が行われる。【００７７】
以上説明したＬ０層とＬ１層とにおけるセクタ番号はすべて、１６進数における１５の補数の関係にある。より具体的には、例えば、Ｌ０層における折り返し点（セクタ番号「１ＡＦＦＦＦｈ」）とＬ１層における折り返し点（セクタ番号「Ｅ５００００ｈ」）は１５の補数の関係にある。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。【００７８】
よって、コンテンツ等の記録情報は、例えば、Ｌ０層のデータエリア１０２−０のセクタ番号「０３００００ｈ」から「１ＡＦＦＦＦｈ」及びＬ１層のデータエリア１０２−１のセクタ番号「Ｅ５００００ｈ」から「ＦＣＦＦＥＦｈ」において、光ピックアップが連続して移動されると同時に記録又は再生される。【００７９】
以上説明した物理的セクタ番号に対して、論理ブロックアドレス（ＬＢＡ：Logical Block Address）が、１対１に割り付けられている。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応する。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。【００８０】
（２）情報記録装置の第１実施例
次に、図５から図８を参照して、本発明の情報記録装置の第１実施例について詳細に説明する。特に、本実施例は、本発明に係る情報記録装置を光ディスク用の情報記録再生装置に適用した例である。【００８１】
（２−１）基本構成
先ず、図５を参照して、本発明の情報記録装置に係る第１実施例における情報記録再生装置３００及び、ホストコンピュータ４００の基本構成について説明する。ここに、図５は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【００８２】
図５を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【００８３】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【００８４】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【００８５】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０５が、データ入出力制御手段３０８、及びバス３０９を介して、直接情報記録再生装置３００を制御することによって、外部ネットワークと通信可能となるように構成してもよい。【００８６】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。【００８７】
信号記録再生手段３０２は、光ピックアップ３０１とスピンドルモータ３０６とを制御することで光ディスク１００に対して記録再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」の一例を構成する。【００８８】
ＣＰＵ（ドライブ制御手段）３０５は、バス３０９を介して、各種制御手段に指示を行うことで、情報記録再生装置３００全体の制御を行う。また、ＣＰＵ３０５が動作するためのソフトウェア又はファームウェアは、メモリ３０７に格納されている。特に、ＣＰＵ３０５は、本発明に係る「制御手段」の一例を構成する。【００８９】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【００９０】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００９１】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【００９２】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【００９３】
特に、操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【００９４】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【００９５】
（２−２）動作原理
次に、図６に加えて前述した図５を適宜参照して、本発明の情報記録装置の実施例に係る情報記録再生装置における動作原理について説明する。ここに、図６は、本発明の情報記録装置の実施例に係る情報記録再生装置による、フォーマット処理を含む記録動作、並びにファイナライズ処理を示したフローチャートである。【００９６】
図６に示されるように、光ディスク１００が装着されると、ＣＰＵ３０５等の制御手段の制御下で、光ピックアップ３０１や信号記録再生手段３０２等の読出手段によって、初期動作として、ＲＭＤ等の管理情報が取得される（ステップＳ１０１）。【００９７】
次に、ＣＰＵ３０５等の制御手段の制御下で、取得されたＲＭＤ等の管理情報に基づいて、未記録状態の光ディスク１００であるか否かが判定される（ステップＳ１０２）。ここで、光ディスク１００が未記録状態である場合（ステップＳ１０２：Ｙｅｓ）、予め定められた初期状態のＲＭＤが、ＲＭＡ１０６−０（１０６−１）に記録される（ステップＳ１０３）。他方、ステップＳ１０２の判定の結果、光ディスク１００が未記録状態でない場合（ステップＳ１０２：Ｎｏ）、ＲＭＡ１０６−０（１０６−１）から、最新のＲＭＤが取得される。【００９８】
次に、ＣＰＵ３０５等の制御手段の制御下で、取得されたＲＭＤ等の管理情報に基づいて、Ｌ０層は、フォーマット済みであるか否かが判定される（ステップＳ１０５）。ここで、Ｌ０層が、フォーマット済みである場合（ステップＳ１０５：Ｙｅｓ）、制御手段の制御下で、記録パワーは、例えば記録済みのＬ０層に対応した最適な記録パワーに設定される（ステップＳ１０６）。他方、Ｌ０層が、フォーマット済みでない場合（ステップＳ１０５：Ｎｏ）、制御手段の制御下で、更に、Ｌ０層を、フォーマットするか否かが判定される（ステップＳ１０７）。ここで、Ｌ０層を、フォーマットする場合（ステップＳ１０７：Ｙｅｓ）、制御手段の制御下で、Ｌ０層がフォーマットされる（ステップＳ１０８）。尚、このフォーマットについては、後述される「（２−３）第１実施例に係るフォーマットの形態」等において説明される。【００９９】
他方、Ｌ０層を、フォーマットしない場合（ステップＳ１０７：Ｎｏ）、制御手段の制御下で、記録パワーは、例えば未記録のＬ０層に対応した最適な記録パワーに設定される（ステップＳ１０９）。【０１００】
次に、制御手段の制御下で、設定された記録パワーで、例えばＬ１層において情報の記録が行われる（ステップＳ１１０）。【０１０１】
次に、ＣＰＵ３０５等の制御手段の制御下で、ファイナライズ処理を行うか否かが判定される（ステップＳ１１１）。ここで、ファイナライズ処理を行う場合（ステップＳ１１１：Ｙｅｓ）、例えばＲＭＤ等の管理情報が、例えばメモリ等の記憶手段において更新される（ステップＳ１１１）。次に、制御手段の制御下で、更新されたＲＭＤ等の管理情報が、ＲＭＡ１０６−０（１０６−１）に記録される（ステップＳ１１３）。次に、例えばダミーデータ等緩衝用データが、必要であれば、ファイナライズ処理のために、記録される（ステップＳ１１４）。尚、このファイナライズ処理については、後述される「（３−１）第２実施例に係るフォーマットの形態」等において説明される。【０１０２】
他方、上述したステップＳ１１１の判定の結果、ファイナライズ処理を行わない場合（ステップＳ１１１：Ｎｏ）、更に、制御手段の制御下で、光ディスクを排出するか否かが判定される（ステップＳ１１５）。ここで、光ディスクを排出する場合（ステップＳ１１５：Ｙｅｓ）、更に、制御手段の制御下で、光ディスク上のＲＭＤは、最新の情報であるか否かが判定される（ステップＳ１１６）。ここで、光ディスク上のＲＭＤは、最新の情報でない場合（ステップＳ１１６：Ｎｏ）、最新のＲＭＤが、光ディスク上のＲＭＡに記録される（ステップＳ１１７）。他方、光ディスク上のＲＭＤは、最新の情報である場合（ステップＳ１１６：Ｙｅｓ）、ステップＳ１１７は省略される。他方、ステップＳ１１５の判定の結果、光ディスクを排出しない場合（ステップＳ１１５：Ｎｏ）、再度、前述したステップＳ１０５に戻る。【０１０３】
最後に、制御手段の制御下で、光ディスクの実際の排出動作が行われる（ステップＳ１１８）。【０１０４】
（２−３）第１実施例に係るフォーマットの形態
次に、図７及び図８を参照して、本発明の第１実施例に係るフォーマットの形態について説明する。ここに、図７は、本発明の第１実施例に係るフォーマットがなされた記録領域を図式的に示した模式図である。図８は、比較例に係る、フォーマットがなされていない記録領域を図式的に示した模式図である。【０１０５】
図７に示されるように、本発明の第１実施例に係るフォーマットの形態においては、例えば情報記録装置によって、少なくとも、Ｌ０層のデータエリア１０２−０の一部が、所定のタイミングで、フォーマットされる。ここに、本願発明に係る「フォーマット」とは、例えば情報記録装置によって、情報記録媒体の記録領域を、例えばデータエリアと同じ属性にさせると共に、当該記録領域に、「ゼロ」、又は「所定の値」を記録させることを意味してもよい。或いは、例えば情報記録装置によって、情報記録媒体の記録領域を、例えばミドルエリアと同じ属性やリードアウトエリアと同じ属性となるように、記録領域の属性を変化させることを意味してもよい。【０１０６】
また、本願発明に係る「所定のタイミング」とは、光ディスク１００が、情報記録再生装置に挿入されるタイミング等のフォーマットを行うに際して、利便性が高く且つ効率的なタイミングを意味するようにしてもよい。例えば、光ディスク１００に対する記録動作と平行して行われるタイミングでもよい。更に、例えば、ユーザによる指示に応答したタイミングでもよい。或いは、当該光ディスク１００の製造時でもよい。【０１０７】
具体的には、図７に示されるように、例えばＬ０層のデータエリア１０２−０のうち「Ａ点」までフォーマットされていれば、仮に、例えばＬ０層の「Ｂ点」までしか情報の記録が行われなかった場合でも、記録要件を満たしたレーザ光によって、任意のタイミングで、例えば記録予定の記録領域にあるＬ１層の「Ｃ点」において、情報を記録することが可能である。尚、Ｌ０層の「Ｂ点」までの情報の記録においては、予めフォーマットされている記録領域が、例えばデータエリアと同じ属性にされると共に、当該記録領域に、実効的な情報の記録が行われるようにしてもよい。また、本実施例におけるレーザ光の記録パワーは、当該レーザ光が記録済みのＬ０層を介してＬ１層に照射された場合の最適な記録パワーである。しかし、本発明においては、レーザ光の記録パワーは、当該レーザ光が記録済みのＬ０層とは光透過率の異なる未記録状態のＬ０層を介してＬ１層に照射された場合の最適な記録パワーであるようにしてもよいことは言うまでもない。【０１０８】
仮に、例えば情報記録装置によって、少なくとも、Ｌ０層のデータエリア１０２−０の一部がフォーマットされていない場合、図８に示されるように、Ｌ１層の「記録領域Ｃｘ」に情報を記録する際には、記録要件を満たすために、Ｌ０層の「記録領域Ａｘ」を、例えば記録済み状態にさせなくてはならない。即ち、実効的な記録動作を一旦中断させなくてはならないので、記録制御処理が複雑になってしまい、記録制御処理の負荷を高めてしまう。【０１０９】
これに対して、第１実施例によれば、例えば情報記録装置によって、少なくともＬ０層の一部が、所定のタイミングで、フォーマットされる。そして、例えば情報記録装置によって、フォーマットされたＬ０層の状態に基づいて、Ｌ０層の一部に対向されるＬ１層の記録領域において、情報が記録される。【０１１０】
この結果、少なくとも、Ｌ０層の一部に対向されるＬ１層の記録領域において、情報を記録する際に、Ｌ０層を、例えば記録済み状態にさせる等の各種処理によって実効的な記録動作を中断させることなく、任意のタイミングで、且つ、任意の位置に、或いは、Ｌ０層への記録動作と連続させて、Ｌ１層に情報を記録することが可能となる。従って、記録制御処理をより簡便にさせ、高い負荷が記録制御処理に掛かるのを抑制させることも可能となる。【０１１１】
（３）情報記録装置の第２実施例
次に、図９から図１１を参照して、本発明の情報記録装置に係る第２実施例について説明する。尚、第２実施例における基本構成、及び動作原理は、前述した第１実施例と概ね同様であるので説明を適宜省略する。【０１１２】
（３−１）第２実施例に係るフォーマットの形態
先ず、図９から図１１を参照して、本発明の第２実施例に係るフォーマットの形態について説明する。ここに、図９は、本発明の第２実施例に係るフォーマットがなされた記録領域を図式的に示した模式図である。図１０は、本発明の第２実施例に係るフォーマットがなされた記録領域の一部において情報が記録された場合の記録領域を図式的に示した模式図である。図１１は、本発明の第２実施例に係るフォーマットがなされた記録領域においてファイナライズ処理がなされた場合の記録領域を図式的に示した模式図である。【０１１３】
図９に示されるように、本発明の第２実施例に係るフォーマットの形態においては、例えば情報記録装置によって、（ｉ）Ｌ０層のデータエリア１０２−０の全部、及び（ｉｉ）ミドルエリア１０４−０の全部が、所定のタイミングで、例えばミドルエリアの属性に統一されてフォーマットされる。【０１１４】
従って、図１０に示されるように、仮に、Ｌ０層のデータエリア１０２−０の一部において情報が記録された後に、ファイナライズ処理が行われた場合、図１１に示されるように、例えば「Ｎｕｌｌ」等のダミーデータ（ダミー情報）が記録される。具体的には、先ず、Ｌ０層の記録済み状態の記録領域Ｂａに対向される、Ｌ１層の記録領域Ｄａは、例えばリードアウトエリアと同じ属性にされつつ、当該記録領域Ｄａには、ダミーデータが記録される（図１１中の「Ｓｔｅｐ１」を参照）。次に、Ｓｈｉｆｔｅｄミドルエリア１０４ａ−１が形成される（図１１中の「Ｓｔｅｐ２」を参照）。よって、このＳｈｉｆｔｅｄミドルエリア１０４ａ−１より外周側に位置するミドルエリア１０４−１等を、未記録状態、即ち、ミラー状態にさせておくことが可能となるので、ダミーデータを記録する必要がない。【０１１５】
上述したダミーデータが記録される記録領域Ｄａについて一般的には、光ディスクのＬ０層の記録領域に対向するＬ１層の未記録の領域においては、コンテンツ情報等の実効的な記録情報に加えて、例えば「Ｎｕｌｌ」等のダミーデータを記録する必要があることが知られている。何故ならば、一般のＤＶＤ−ＲＯＭドライブの再生動作時において、光ピックアップの層間フォーカスジャンプ（層間切換え）する際のトラッキングサーボが正常に制御され、ユーザデータが正常に再生されるためである。従って、実際のファイナライズ処理に掛かる時間は、コンテンツ情報等の実効的な記録情報の記録時間に加えて、ダミーデータの記録時間だけ長くなってしまう。【０１１６】
より詳細には、仮に、Ｌ１層の内周側が、例えば、ダミーデータが記録されずに未記録である場合、そこに光ピックアップが突入すると、ＲＦ再生信号が無いために、トラッキングサーボがはずれて、暴走してしまうからである。具体的には、例えば、ＤＶＤ−ＲＯＭドライブの光ピックアップが、２層型光ディスクにおいて、Ｌ０層の所定のセクタ番号からＬ１層にある目的のセクタ番号にアクセスするために、先ず、Ｌ１層への焦点合わせ、即ち、層間フォーカスジャンプ（層間切換え）を行う。この場合、層間フォーカスジャンプした先のＬ１層のセクタ番号が未記録であると、光ピックアップは、例えば、位相差法によるトラッキングサーボの制御を行うことができずに、暴走してしまうのである。更に、より詳細には、位相差法が採用されているＤＶＤ−ＲＯＭ再生専用ドライブの光ピックアップは、プッシュプル法が採用されているＤＶＤ−Ｒにおける未記録領域に対してはトラッキングサーボの制御が殆ど又は完全に不可能である。このことが、ＤＶＤ−ＲＯＭドライブでＤＶＤ−Ｒを再生できない場合があることの一例であることも付記しておく。【０１１７】
再び、図１１に戻る。【０１１８】
以上の結果、例えばＬ０層のデータエリア１０２−０の大部分の記録領域やミドルエリア１０４−０の全部の記録領域等の、予めフォーマットされた記録領域は、ファイナライズ処理の際に、ダミーデータを記録する必要がない。従って、ファイナライズ処理の際に、ダミーデータを記録する必要のある記録領域の大きさを減少させることが可能となる。【０１１９】
この結果、ファイナライズ処理に掛かる時間は、例えばコンテンツ情報等の実効的な情報を記録する記録時間により近づくため、ファイナライズ処理に掛かる時間の大幅な短縮が可能となり、ユーザは、ファイナライズ処理において、より大きな快適性を体感することが可能となる。【０１２０】
（４）情報記録装置の第３実施例
次に、図１２から図１４を参照して、本発明の情報記録装置に係る第３実施例について説明する。尚、第３実施例における基本構成、及び動作原理は、前述した第１実施例と概ね同様であるので説明を適宜省略する。【０１２１】
（４−１）第３実施例に係るフォーマットの形態
先ず、図１２から図１４を参照して、本発明の第３実施例に係るフォーマットの形態について説明する。ここに、図１２は、本発明の第３実施例に係るフォーマットがなされた記録領域を図式的に示した模式図である。図１３は、本発明の第３実施例に係るフォーマットがなされた記録領域の一部において情報が記録される共に、ファイナライズ処理がなされた場合の記録領域を図式的に示した模式図である。図１４は、本発明の第３実施例に係るフォーマットがなされた記録領域の他部において情報が記録される共に、ファイナライズ処理がなされた場合の記録領域を図式的に示した模式図である。【０１２２】
図１２に示されるように、本発明の第３実施例に係るフォーマットの形態においては、例えば情報記録装置によって、（ｉ）Ｌ０層のミドルエリア１０４ａ−０（所謂、データエリア１０２−０）、並びに（ｉｉ）ミドルエリア１０４−０及び１０４−１が、所定のタイミングで、例えばミドルエリアの属性とされつつ、フォーマットされる。加えて、（ｉｉｉ）Ｌ１層のリードアウトエリア１０３ａ−１（所謂、データエリア１０２−１）が、所定のタイミングで、例えばリードアウトエリアの属性とされつつ、フォーマットされる。【０１２３】
従って、図１３に示されるように、仮に、Ｌ０層のデータエリア１０２−０において情報が記録された後に、ファイナライズ処理が行われた場合、ダミーデータを記録する必要が殆ど又は完全にない。具体的には、Ｌ０層におけるミドルエリア１０４ａ−０及び１０４−０、並びに、Ｌ１層におけるリードアウトエリア１０３ａ−１、及びミドルエリア１０４−１において、ダミーデータを記録する必要が殆ど又は完全にない。【０１２４】
他方、図１４示されるように、仮に、Ｌ０層のデータエリア１０２−０、及びＬ１層のデータエリア１０２−１において情報が記録された後に、ファイナライズ処理が行われた場合、ダミーデータを記録する必要が殆ど又は完全にない。具体的には、Ｌ０層におけるミドルエリア１０４−０、並びに、Ｌ１層におけるリードアウトエリア１０３ａ−１、及びミドルエリア１０４−１において、ダミーデータを記録する必要が殆ど又は完全にない。【０１２５】
以上の結果、例えばＬ０層のミドルエリア１０４ａ−０、ミドルエリア１０４−０及び１０４−１、並びに、Ｌ１層のリードアウトエリア１０３ａ−１の記録領域等の、予めフォーマットされた記録領域は、ファイナライズ処理の際に、ダミーデータを記録する必要がない。従って、ファイナライズ処理の際に、ダミーデータを記録する必要のある記録領域を殆ど又は完全に無くすことが可能となる。【０１２６】
この結果、ファイナライズ処理に掛かる時間は、例えばコンテンツ情報等の実効的な情報を記録する記録時間により近づくため、ファイナライズ処理に掛かる時間の大幅な短縮が可能となり、ユーザは、ファイナライズ処理において、より大きな快適性を体感することが可能となる。【０１２７】
上述した実施例では、記録方式の一具体例として、オポジット方式について説明したが、本発明をパラレル方式等の他の記録方式に適用することも可能である。【０１２８】
また、上述した実施例では、情報記録媒体の一具体例として、例えば、２層型のＤＶＤ−ＲＷ又はＤＶＤ＋ＲＷ等の書き換え型の光ディスクについて説明したが、本発明は、例えば、３層型等のマルチプルレイヤ型の光ディスクにも適用可能である。更に、ブルーレーザーを記録再生に用いるディスク等の他の高密度記録或いは高転送レート対応の各種の情報記録媒体にも適用可能である。【０１２９】
また、上述した実施例では、情報記録装置の一具体例として、例えば、ＤＶＤ−ＲＷレコーダー又はＤＶＤ＋ＲＷレコーダー等の書き換え用の情報記録再生装置に適用可能である。更に、ブルーレーザーを記録再生に用いるディスク等の他の高密度記録或いは高転送レート対応の各種の情報記録媒体用の情報記録再生装置にも適用可能である。【０１３０】
本発明は、上述した実施例に限られるものではなく、請求の範囲及び明細書全体から読み取れる発明の要旨或いは思想に反しない範囲で適宜変更可能であり、そのような変更を伴う情報記録装置及び方法、記録制御用のコンピュータプログラム、並びに、情報記録媒体もまた本発明の技術的範囲に含まれるものである。
【産業上の利用可能性】
【０１３１】
本発明に係る情報記録装置及び方法、記録制御用のコンピュータプログラム、並びに情報記録媒体は、例えば２層型のＤＶＤ、ＣＤ（Compact Disc）等の多層型の情報記録媒体に利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2006109682.tif 000002
【図２】
2006109682.tif 000003
【図３】
2006109682.tif 000004
【図４】
2006109682.tif 000005
【図５】
2006109682.tif 000006
【図６】
2006109682.tif 000007
【図７】
2006109682.tif 000008
【図８】
2006109682.tif 000009
【図９】
2006109682.tif 000010
【図１０】
2006109682.tif 000011
【図１１】
2006109682.tif 000012
【図１２】
2006109682.tif 000013
【図１３】
2006109682.tif 000014
【図１４】
2006109682.tif 000015
【図１５】
2006109682.tif 000016
【手続補正書】
【提出日】平成19年2月6日(2007.2.6)
【手続補正１】
【補正対象書類名】特許請求の範囲
【補正対象項目名】請求項１
【補正方法】変更
【補正の内容】
【請求項１】
第１情報を記録するための第１トラックが形成された第１記録層、及び前記第１トラックに対応されると共に、第２情報を記録するための第２トラックが形成された第２記録層を少なくとも備える情報記録媒体において、前記第１記録層を透過したレーザ光によって、少なくとも前記第２記録層に記録する情報記録装置であって、
（ｉ）前記レーザ光が透過する前記第１記録層が一の状態である場合に良好な再生品質を取得可能な特性を保持する一のレーザ光、又は（ｉｉ）前記レーザ光が透過する前記第１記録層が他の状態である場合に良好な再生品質を取得可能な特性を保持する他のレーザ光によって、少なくとも前記第２記録層に前記第２情報を記録する記録手段と、
少なくとも前記第１記録層の所定の部分を、所定のタイミングで、前記一の状態、又は前記他の状態として、（ｉｉｉ−１）層間ジャンプの際の緩衝用エリアであると共に、ファイナライズ処理の際にダミー情報を記録する必要のないミドルエリアと同じ属性に予めしておく、又は、（ｉｉｉ−２）ファイナライズ処理の際にダミー情報を記録する必要のないリードアウトエリアと同じ属性に予めしておくフォーマット手段と、
フォーマットされた前記第１記録層の状態に基づいて、前記一のレーザ光、又は前記他のレーザ光によって、少なくとも前記第２記録層に前記第２情報を記録するように、前記記録手段を制御する制御手段と
を備えることを特徴とする情報記録装置。
【手続補正書】
【提出日】平成19年10月14日(2007.10.14)
【手続補正１】
【補正対象書類名】特許請求の範囲
【補正対象項目名】全文
【補正方法】変更
【補正の内容】
【特許請求の範囲】
【請求項１】
第１記録層及び第２記録層を有し、情報が記録されるデータエリアと、前記データエリアに記録される前記情報を管理する管理情報が記録される管理情報記録エリアとを有する情報記録媒体に、
前記第１記録層を透過したレーザ光で前記第２記録層に記録する情報記録装置であって、
前記第１記録層又は第２記録層に前記レーザ光によって前記情報を記録可能な記録手段と、
前記記録手段により、前記第２記録層に前記情報が記録されるタイミングより以前のタイミングで前記第１記録層に所定のパターンでプリ記録を行うことでフォーマットを行うフォーマット手段と
を備えることを特徴とする情報記録装置。
【請求項２】
前記フォーマット手段は、前記第１記録層のデータエリアにプリ記録を行うことを特徴とする請求項１に記載の情報記録装置。
【請求項３】
前記管理情報記録エリアに、前記フォーマットが行われている位置を示すアドレス情報を前記記録手段に記録させる第１の制御手段を有することを特徴とする請求項２に記載の情報記録装置。
【請求項４】
前記管理情報記録エリアに、前記第１記録層がフォーマットされているか否かを示すフラグ情報を前記記録手段に記録させる第２の制御手段を有することを特徴とする請求項３に記載の情報記録装置。
【請求項５】
前記フォーマット手段は、（ｉ）ユーザによる指示に応答して、又は（ｉｉ）記録動作と平行して、少なくとも、前記第１記録層又は前記第２記録層に対してフォーマットを行うことを特徴とする請求項１から４のうちいずれか一項に記載の情報記録装置。
【請求項６】
前記第１の制御手段は、取得された前記管理情報に含まれる、（ｉ）少なくとも前記第１記録層がフォーマットされているか否かを示すフラグ情報、又は（ｉｉ）少なくとも前記第１記録層において、フォーマットされている位置を示すアドレス情報のうち少なくとも一つに基づいて、前記記録手段を制御することを特徴とする請求項３に記載の情報記録装置。
【国際調査報告】
2006109682.tif 000017
2006109682.tif 000018
2006109682.tif 000019
2006109682.tif 000020